(57)【要約】【課題】通信回線の変更によってノーリンギング通信が不可能になったとき、端末網制御装置とセンタ装置との間でのデータ伝送を可能にする。【解決手段】端末網制御装置は、ノーリンギング通信が行われない時間を計測する。この時間が規定時間を超えているとき、端末網制御装置が、端末発呼した後、一定時間リンギング通信による起動待機状態となる。センタ装置は、一定時間内にリンギング通信を行う。端末網制御装置は、センタ装置からの呼び出しに応答して、センタ装置との間でデータ伝送を行う。【選択図】図５
2009105836.tif 000002
【特許請求の範囲】
【請求項１】
センタ装置に通信回線を介してデータ伝送を行い、通信回線を通じて通信を行う後方接続機器が接続された端末網制御装置であって、ノーリンギング通信モードが設定されているときに、ノーリンギング通信の有無を監視する監視手段と、ノーリンギング通信が行われていないとき、センタ装置に通知する通知手段と、センタ装置からのリンギング通信を受け付ける受付手段と、リンギング通信に応じてセンタ装置と通信を行う通信手段とを備えたことを特徴とする端末網制御装置。
【請求項２】
監視手段は、ノーリンギング通信が行われない時間を計測して、その時間が規定時間を超えるか判断し、規定時間を超えたとき、通知手段は、センタ装置に端末発呼し、受付手段は、端末発呼した後、一時的にリンギング通信モードにして、センタ装置からの呼出信号が後方接続機器に到達しないように、後方接続機器を通信回線から切り離し、一定時間呼出信号を待ち、通信手段は、規定回数の呼出信号を受信後、応答して、センタ装置との間でデータ伝送を行うことを特徴とする請求項１記載の端末網制御装置。
【請求項３】
通知手段は、端末発呼するときの発呼時間をチェックし、発呼時間が特定時間内にあるとき、受付手段は、発呼時間から一定時間だけ呼出信号を待ち、発呼時間が特定時間外のとき、受付手段は、特定時間内において一定時間だけ呼出信号を待つことを特徴とする請求項２記載の端末網制御装置。
【請求項４】
受付手段は、発呼時間が特定時間外のとき、発呼時間を特定時間内の時間に変更し、変更後の時間から一定時間だけ呼出信号を待つことを特徴とする請求項３記載の端末網制御装置。
【請求項５】
規定時間は、ノーリンギング通信モードにおけるセンタ装置からの定期的な発呼の時間間隔よりも長い時間に設定され、特定時間は、後方接続機器の使用が少ない時間に設定されたことを特徴とする請求項３または４記載の端末網制御装置。
【請求項６】
センタ装置からの呼出信号を待っている間、後方接続機器が使用されたとき、受付手段は、呼出信号を待つ時間を後方接続機器の使用時間に応じて延長することを特徴とする請求項２または３記載の端末網制御装置。
【請求項７】
センタ装置とリンギング通信を行ったとき、ノーリンギング通信モードからリンギング通信モードに設定が変更されることを特徴とする請求項１〜６のいずれかに記載の端末網制御装置。
【発明の詳細な説明】
【技術分野】
【０００１】
本発明は、センタ装置と電話回線等の通信回線を介してノーリンギング通信あるいはリンギング通信によりデータ伝送を行う端末網制御装置に関する。
【背景技術】
【０００２】
端末網制御装置とセンタ装置との間で電話回線を介して、メータの自動検針等に関するデータ伝送を行うデータ通信システムでは、ノーリンギング通信とリンギング通信の２つの方式がある。
【０００３】
ノーリンギング通信方式は、ノーリンギングトランクを備えた交換局を介して通信するものであり、宅内の電話機のベルを鳴らすことなくセンタ装置と端末網制御装置の間でデータ伝送を行う。ノーリンギングトランクは、電話機が鳴動するのを防ぐために、緩やかな極性反転を行い、それと同時に端末網制御装置に接続されたメータ、センサといった複数の端末機器の１つを選択するためのＮＲＳ信号（ＤＴＭＦ信号）を送出する。端末網制御装置は、これに応答して、選択された端末機器から取得したデータをセンタ装置に送信する。
【０００４】
リンギング通信方式では、センタ装置の発呼により、極性反転の後、呼出信号（リンガー）が繰り返し送られる。端末網制御装置は、呼出信号が来た回数をカウントし、規定回数でオフフックし、センタ装置からの応答信号（ＰＢ信号）受信後、通信を行う。
【０００５】
リンギング通信方式においては、電話機のベルが鳴る問題がある。通常、ノーリンギング通信が可能であれば、ノーリンギング通信方式が優先して選択される。
【０００６】
しかし、電話回線が他に利用されて話中状態のとき、端末網制御装置を呼び出すことができない。このような場合に、リンギング通信方式を利用して、端末網制御装置を呼び出すことにより、データ伝送を行うことが特許文献１に記載されている。
【特許文献１】特開平８−２３７３８５号公報
【発明の開示】
【発明が解決しようとする課題】
【０００７】
近年、通信回線として、電話回線に代わって、ＩＳＤＮあるいは光回線が使用されるようになっている。これらの通信回線では、ノーリンギングトランクが使用できず、センタ装置と端末網制御装置との間でノーリンギング通信ができなくなる問題が生じる。
【０００８】
本発明は、上記に鑑み、ノーリンギング通信が不可能になったとしても、センタ装置との間でデータ伝送を行える端末網制御装置の提供を目的とする。
【課題を解決するための手段】
【０００９】
本発明は、センタ装置に通信回線を介してデータ伝送を行い、通信回線を通じて通信を行う後方接続機器が接続された端末網制御装置であって、ノーリンギング通信モードが設定されているときに、ノーリンギング通信の有無を監視する監視手段と、ノーリンギング通信が行われていないとき、センタ装置に通知する通知手段と、センタ装置からのリンギング通信を受け付ける受付手段と、リンギング通信に応じてセンタ装置と通信を行う通信手段とを備えたものである。
【００１０】
通信回線が電話回線からＩＳＤＮや光回線に変更されると、ノーリンギング通信が不可能となる。そのため、ノーリンギング通信モードが設定されているにもかかわらず、ノーリンギング通信できない。監視手段が、ノーリンギング通信が行われていないことを検出すると、通知手段は、センタ装置に通知する。センタ装置は、ノーリンギング通信からリンギング通信に変更して、端末網制御装置を呼び出す。受付手段は、通知後、リンギング通信に対応できる状態にして、センタ装置の呼び出しを待つ。通信手段は、リンギング通信による呼び出しに応答して、センタ装置との間でデータ伝送を行う。
【００１１】
具体的には、監視手段は、ノーリンギング通信が行われない時間を計測して、その時間が規定時間を超えるか判断する。規定時間を超えたとき、通知手段は、センタ装置に端末発呼する。受付手段は、端末発呼した後、一時的にリンギング通信モードにするとともに、センタ装置からの呼出信号が後方接続機器に到達しないように、後方接続機器を通信回線から切り離し、一定時間呼出信号を待つ。通信手段は、規定回数の呼出信号を受信後、応答して、センタ装置との間でデータ伝送を行う。
【００１２】
通知手段は、端末発呼するときの発呼時間をチェックし、発呼時間が特定時間内にあるとき、受付手段は、発呼時間から一定時間だけ呼出信号を待ち、発呼時間が特定時間外のとき、受付手段は、特定時間内において一定時間だけ呼出信号を待つ。すなわち、受付手段は、発呼時間が特定時間外のとき、発呼時間を特定時間内の時間に変更し、変更後の時間から一定時間だけ呼出信号を待つ。
【００１３】
規定時間は、ノーリンギング通信モードにおけるセンタ装置からの定期的な発呼の時間間隔よりも長い時間に設定される。規定時間内に、少なくとも２回のノーリンギング通信による発呼があるので、ノーリンギング通信の有無を確実に検出できる。特定時間は、後方接続機器の使用が少ない時間に設定される。これにより、電話機等の後方接続機器の使用に影響を受けずに、センタ装置と通信することができる。
【００１４】
センタ装置からの呼出信号を待っている間、後方接続機器が使用されたとき、受付手段は、呼出信号を待つ時間を後方接続機器の使用時間に応じて延長する。外部から後方接続機器に対する呼び出しがあったとき、あるいは後方接続機器が使用されたとき、使用時間が計測される。したがって、呼出信号を待つ時間が、一定時間に使用時間を加えた時間となる。
【００１５】
センタ装置とリンギング通信を行ったとき、ノーリンギング通信モードからリンギング通信モードに設定が変更される。ノーリンギング通信が不可能であるので、通信モードを変更することにより、端末網制御装置は、センタ装置の呼び出しによるデータ伝送を行える。
【発明の効果】
【００１６】
本発明によると、電話回線がＩＳＤＮや光回線に変更されて、ノーリンギング通信ができなくなった場合、一時的なリンギング通信への変更あるいは常時のリンギング通信への変更を行うことにより、端末網制御装置はセンタ装置と確実にかつユーザに負担をかけることなく、通信を行うことができる。
【発明を実施するための最良の形態】
【００１７】
本実施形態のデータ通信システムを図１に示す。データ通信システムは、センタ装置１と端末網制御装置２とから構成され、センタ装置１と端末網制御装置２とが通信回線としての電話回線３を介して接続される。なお、センタ装置１は、複数の端末網制御装置２とデータ伝送を行う。
【００１８】
端末網制御装置２には、メータ４と、センサ、スイッチ等の接点機器５とが接続される。また、後方接続機器として電話機６やファクシミリ装置が接続される。図１中、７はセンタ側交換局、８は端末側交換局、９はノーリンギングトランクである。
【００１９】
端末網制御装置２は、図２に示すように、電話回線３を介してセンタ装置１と通信を行う回線通信制御部１０と、電話機６を電話回線３に接続する、あるいは電話機６を電話回線３から切り離すためのリレー１１と、電源部１２と、メータ４や接点機器５を接続するメータＩ／Ｆ部１３と、端末網制御装置２の動作を制御するマイクロコンピュータからなる制御部１４と、メモリ１５とを備えている。
【００２０】
端末網制御装置２は、センタ装置１とノーリンギング通信あるいはリンギング通信を行うことが可能であり、制御部１４は、ノーリンギング通信モードおよびリンギング通信モードを実行する機能を有する。通常のデータ通信においては、ノーリンギング通信モードを実行するように設定されている。制御部１４は、ノーリンギング通信モードの実行が不可能な状況になったとき、リンギング通信モードに切り替える。
【００２１】
すなわち、通信回線が従来のアナログの電話回線３からＩＳＤＮあるいは光回線に変更されると、ノーリンギングトランク９が使用できなくなり、ノーリンギング通信モードの実行が不可能な状況となる。制御部１４は、このような状況になったとき、リンギング通信モードを実行する。
【００２２】
そのため、制御部１４は、ノーリンギング通信の有無を監視する監視手段２０と、ノーリンギング通信が行われていないとき、センタ装置１に通知する通知手段２１と、センタ装置１からのリンギング通信を受け付ける受付手段２２と、リンギング通信に応じてセンタ装置１と通信を行う通信手段２３とを備えている。
【００２３】
監視手段２０は、ノーリンギング通信が行われない時間を計測して、その時間が規定時間を超えるか判断する。規定時間を超えないとき、ノーリンギング通信の実行は可能であると判断される。規定時間を超えたとき、ノーリンギング通信の実行が不可能と判断される。このとき、通知手段２１は、センタ装置１に端末発呼する。受付手段２２は、端末発呼した後、一時的にリンギング通信モードにして、センタ装置１からの呼出信号が後方接続機器に到達しないように、後方接続機器を通信回線から切り離し、一定時間呼出信号を待つ。通信手段２３は、規定回数の呼出信号を受信後、応答して、センタ装置１との間でデータ伝送を行う。
【００２４】
ここで、ノーリンギング通信の具体的な動作を図３にしたがって説明する。センタ装置１は、ノーリンギング通信をするためにノーリンギングトランク９の電話番号をダイヤルした後、続けて端末網制御装置２の電話番号をダイヤルする。ノーリンギングトランク９が動作して、電話回線３に緩やかな極性反転が発生する（Ｓ１１）。回線通信制御部１０は、緩い極性反転を検出して、半ループ状態とする。続いて、ＮＲＳ信号が送られてきて、回線通信制御部１０は、ＮＲＳ信号を受信する（Ｓ１２）。制御部１４は、ノーリンギング通信の着信があったと判断して、ノーリンギング通信モードを実行する。回線通信制御部１０は、センタ装置１へ応答のＰＢ信号「＃」を送出する（Ｓ１３）。その後、制御部１４は、センタ装置１からのデータ送信の受信待ちとなり、通信が開始される（Ｓ１４）。
【００２５】
なお、ノーリンギング通信中、電話機６は電話回線３から切り離されている。電話機６のオフフックが検出されると、制御部１４は、リレー１１を駆動して、電話機６が電話回線３に接続するように切り換える。そして、センタ装置１との通信は中止される。
【００２６】
次に、リンギング通信の具体的な動作を図４にしたがって説明する。センタ装置１は、リンギング通信をするためにダイヤルする。電話回線３に極性反転が発生する（Ｓ２１）。端末網制御装置２の回線通信制御部１０は、極性反転を検出した後、続いてくるリンガー（呼出信号）を受信する（Ｓ２２）。通常、電話機６は電話回線３に接続されているので、電話機６がリンガーを受信すると、ベル鳴りする。回線通信制御部１０は、繰り返しくるリンガーの回数を計測する。規定回数に達すると、回線通信制御部１０は、オフフックする（Ｓ２３）。制御部１４は、オフフックに対するセンタ装置１からの応答信号（ＰＢ信号）を受信すると、リレー１１を駆動して、電話機６を電話回線３から切り離す（Ｓ２４）。回線通信制御部１０は、オフフックして、制御部１４は、センタ装置１との通信を開始する（Ｓ２５）。
【００２７】
リンギング通信では、端末網制御装置２の後方に接続される電話機６がベル鳴りする欠点がある。リンガーの回数を計測中に、電話機６の受話器が上げられた（オフフック）場合、センタ装置１からの応答信号（ＰＢ信号）に、例えば音声による「メータ検針中です、受話器を下ろしてください」といったメッセージを追加して、ユーザに報知する。また、通信回線がＩＳＤＮ回線の場合には、ＴＡ（ターミナルアダプタ）の第１のアナログ電話端子に電話機６を接続し、第２のアナログ電話端子に電話機６を接続していない端末網制御装置２を接続する。センタ装置１から電話するとき、電話番号にサブアドレスを付加する。例えば、＊１２３４を電話番号の後ろに付加する。第１のアナログ電話端子のみ着信するようにする。以上のような対応を行うことにより、リンギング通信による欠点を解消している。
【００２８】
そのため、端末網制御装置２では、通常はノーリンギング通信モードに設定されている。図５に示すように、端末網制御装置２は、ノーリンギング通信による起動待機状態となっている。
【００２９】
ところが、電話回線３がＩＳＤＮや光回線に変更された場合、センタ装置１は、通信回線の変更を認識できない。そのため、センタ装置１は、ノーリンギング通信による端末網制御装置２の起動を実行するが、ノーリンギング通信はできない。このように、長期間ノーリンギング通信が行われない事態が生じる。
【００３０】
そこで、図６に示すように、制御部１４の監視手段２０は、最後にノーリンギング通信が行われたときから時間を計測する（Ｓ３１）。ノーリンギング通信が行われると、制御部１４は、時間の計測を停止する。
【００３１】
ノーリンギング通信が行われず、長期間経過すると、監視手段２０は、ノーリンギング通信が行われない時間が規定時間を超えているかどうかを監視する（Ｓ３２）。規定時間は、例えばセンタ装置１から月１回、定期的にメータ検針をする場合、余裕を考えて１ヶ月（３０日）と５日で約８４０時間とする。この規定時間の設定により、監視手段２０は、少なくとも２回ノーリンギング通信の有無の確認を行える。
【００３２】
端末網制御装置２が端末発呼するとき、監視手段２０は、規定時間を超えているか判断する。規定時間を超えていなければ、制御部１４は、通常に端末発呼を実施する（Ｓ３３）。そのまま端末網制御装置２とセンタ装置１との間でデータ伝送が行われる。
【００３３】
規定時間を超えている場合、制御部１４の通知手段２１は、端末発呼を行う。この発呼は、ノーリンギング通信が行えないことをセンタ装置１に通知するものである。発呼後、制御部１４は、端末発呼したときの時間から一定時間、リンギング通信モードを実行して（Ｓ３４）、回線通信制御部１０はリンギング通信による待機状態となる。一定時間は、任意に設定可能とされ、メモリ１５に記憶される。例えば、１０分程度に設定しておけば十分である。端末網制御装置２は、回線変更に影響されず、同じ方法でセンタ装置１にダイヤルすることにより発呼でき、センタ装置１と通信することができる。また、制御部１４は、電話機６の受話器が上げられているかどうか確認してからダイヤルをする。そのため、端末発呼が行われたということは、端末網制御装置２の後方に接続されている電話機６は、この時間使用されていない。
【００３４】
センタ装置１は、端末発呼を受けた後、即座にリンギング通信をするためのダイヤルを行う（Ｓ３５）。すなわち、端末網制御装置２は、端末発呼から一定時間内にリンギング起動される。制御部１４の受付手段２２は、リンガーの回数を計測する（Ｓ３６）。このとき、電話機６がベル鳴りしないように、制御部１４は、リレー１１を駆動して、電話機６を通信回線から切り離す。リンガーは電話機６へ流れず、電話機６はベル鳴りしない。
【００３５】
リンガーの回数が所定回数に達すると、通信手段２３は、回線通信制御部１０を制御して、オフフックさせる。規定回数は、ユーザが留守であると確証できる時間に相当する回数とされ、例えば１０回に設定される。規定回数が少ない回数に設定された場合、端末網制御装置２がオフフックして、センタ装置１との通信中に、在宅しているユーザが電話機６を使用する可能性があるこの場合、データ通信が途切れてしまう。そこで、多い回数にすれば、このような事態の発生を極力減らせる。
【００３６】
回線通信制御部１０は、センタ装置１からの応答信号として、ＰＢ信号を受信する（Ｓ３７）と、センタ装置１へ応答信号（ＰＢ信号の「＃」）を送出する（Ｓ３８）。その後、端末網制御装置２とセンタ装置１は相互にデータ伝送を行う（Ｓ３９）。通信終了後、端末網制御装置２の制御部１４は、リンギング通信モードからノーリンギング通信モードに戻する。回線通信制御部１０は、ノーリンギング通信による待機状態となる。
【００３７】
ところで、上記のリンギング通信が行われると、電話機６を使用することができず、ユーザに不便をかける。ユーザが電話機６を使用する可能性の低い時間帯にリンギング通信を行うようにすればよい。制御部１５の通知手段２１は、端末発呼するときの発呼時間をチェックする。
【００３８】
発呼時間が特定時間内にあるとき、受付手段２２は、発呼時間から一定時間だけ呼出信号を待つ。発呼時間が特定時間外のとき、受付手段２２は、特定時間内において一定時間だけ呼出信号を待つ。すなわち、受付手段２２は、発呼時間が特定時間外のとき、発呼時間を特定時間内の時間に変更し、変更後の時間から一定時間だけ呼出信号を待つ。
【００３９】
この時間変更を行うときの動作を図７にしたがって説明する。端末網制御装置２は、ノーリンギング通信が行われない時間を監視する（Ｓ４１）。端末網制御装置２が端末発呼するとき、監視手段２０は、規定時間を超えているかを確認する（Ｓ４２）。規定時間を超えていなければ、制御部１４は、通常に端末発呼を実施する（Ｓ４３）。
【００４０】
規定時間を超えている場合、制御部１４の通知手段２１は、通知のための端末発呼を行う。このとき、通知手段２１は、発呼時間が特定時間内か否かを確認する。特定時間は、ユーザによる電話機６の使用が少ない時間に設定される。例えば、特定時間は、０時００分から９時５９分の間に設定される。
【００４１】
通知手段２１は、発呼時間が０時００分から９時５９分の間であるかを確認する（Ｓ４４）。０時００分から９時５９分までの特定時間内の場合、端末発呼後、受付手段２２は、発呼時間から一定時間、リンギング通信モードを実行する（Ｓ４５）。
【００４２】
発呼時間が０時００分から９時５９分までの特定時間外の場合、つまり端末発呼が１０時００分から２３時５９分の間に行われた場合、受付手段２２は、発呼時間を変更する。すなわち、発呼時間の十の位をなくし、１０時を０時、２４時を４時とした時間に変更する。例えば、発呼時間が１５時３０分のとき、変更後の発呼時間は５時３０分となる。受付手段２２は、端末発呼後、変更された発呼時間になると、一定期間、リンギング通信モードを実行する（Ｓ４６）。なお、変更された発呼時間は、メモリ１５に記憶される。次回からはこの発呼時間に基づいて、端末発呼が行われる。
【００４３】
センタ装置１は、端末発呼を受けた後、発呼時間に応じてリンギング通信をするためのダイヤルを行う（Ｓ４７）。発呼時間が特定時間内の場合、センタ装置１は、端末発呼を受けると、即座にリンギング通信を開始する。発呼時間が特定時間外の場合、センタ装置１は、変更された発呼時間になると、即座にリンギング通信を開始する。これ以降のＳ４８〜Ｓ５１は、図６のＳ３６〜Ｓ３９と同じである。
【００４４】
ここで、発呼時間が特定時間外の場合、端末網制御装置２は、端末発呼するときに、センタ装置１に変更された発呼時間を通知する。センタ装置１は、変更された発呼時間を記憶し、この時間になると、リンギング通信を開始する。あるいは、センタ装置１は、端末発呼を受けたとき、この発呼時間が特定時間内にあるか否かを判断してもよい。そして、特定時間外のとき、上記と同様に発呼時間を変更して、変更された発呼時間にリンギング通信を行う。
【００４５】
また、Ｓ３４、Ｓ４５、Ｓ４６において、端末網制御装置２がセンタ装置１からのリンガー起動を待っている間、電話機６は通信回線に接続された状態にあるので、外部からの電話がかかってくると、電話機６がオフフックされる。制御部１４は、センタ装置１からの応答信号がないことを記憶してから、通話時間を計測する。そして、制御部１４は、一定時間に通話時間を加えた時間まで、リンガー起動を待つ動作を延長する。
【００４６】
端末網制御装置２に接続された電話機６が使用されたときも同様に、通話時間が計測される。そして、リンガー起動を待つ動作が通話時間分だけ延長される。
【００４７】
以上のように、ノーリンギング通信ができないことが判明すると、端末網制御装置２では、一時的にリンギング通信に切り替えることにより、センタ装置１との間でデータ伝送を行うことができる。したがって、図５に示すように、制御部１４は、リンギング通信を行った後、再びノーリンギング通信の有無を監視する。規定時間を超えれば、端末発呼してからリンギング通信が行われる。
【００４８】
これに代わり、センタ装置１は、端末発呼に応じてリンギング通信によるデータ伝送を行うときに、端末網制御装置２にリンギング通信モードに設定を変更するように指示を行う。端末網制御装置２の制御部１４は、この指示にしたがって、ノーリンギング通信モードからリンギング通信モードに設定を変更する。これにより、通信回線が変更されて、ノーリンギング通信が不可能になっても、センタ装置１の発呼によるリンギング通信が定期的に行われ、データ通信システムとしての機能は維持される。
【００４９】
また、通信回線が変更されたとき、これに応じてセンタ装置１および端末網制御装置２における通信モードの設定を変更しなくても、データ伝送を行うことができる。なお、自動的に通信モードの設定変更も可能である。したがって、ユーザの設定変更作業の負担をなくすことができる。
【００５０】
なお、本発明は、上記実施形態に限定されるものではなく、本発明の範囲内で上記実施形態に多くの修正および変更を加え得ることは勿論である。上記の実施形態では、端末発呼するときに、ノーリンギング通信の行われない時間が規定時間を超えているかを確認していた。これに代わり、ノーリンギング通信の行われない時間が規定時間を超えたときに、端末網制御装置は端末発呼して、センタ装置に通知してもよい。
【図面の簡単な説明】
【００５１】
【図１】本発明のデータ通信システムの概略構成を示す図
【図２】端末網制御装置のブロック構成図
【図３】ノーリンギング通信のフローチャート
【図４】リンギング通信のフローチャート
【図５】端末網制御装置およびセンタ装置の発呼動作のタイミングを示す図
【図６】ノーリンギング通信が行えないときの端末網制御装置の動作フローチャート
【図７】他の形態のノーリンギング通信が行えないときの端末網制御装置の動作フローチャート
【符号の説明】
【００５２】
１    センタ装置
２    端末網制御装置
３    電話回線
６    電話機
１０    回線通信制御部
１１    リレー
１４    制御部
２０    監視手段
２１    通知手段
２２    受付手段
２３    通知手段
【図１】
2009105836.tif 000003
【図２】
2009105836.tif 000004
【図３】
2009105836.tif 000005
【図４】
2009105836.tif 000006
【図５】
2009105836.tif 000007
【図６】
2009105836.tif 000008
【図７】
2009105836.tif 000009